(57)【要約】  刺激剤を含む洗剤組成物。このような洗剤組成物の作製方法。【特許請求の範囲】
【請求項１】
第１組成物及び刺激剤を含む洗剤組成物であって、
前記第１組成物は液体洗剤、粒状洗剤、又はタブレット洗剤からなる群から選択され、かつ
前記第１組成物が粒状洗剤又はタブレット洗剤である場合、前記第１組成物は水溶性フィルム又は水溶性コーティングのいずれかの中に入れられる、洗剤組成物。
【請求項２】
前記第１組成物が、前記刺激剤を含む、請求項１に記載の洗剤組成物。
【請求項３】
前記第１組成物が、粒状洗剤又はタブレット洗剤であり、前記水溶性フィルム又は前記水溶性コーティングが、前記刺激剤を含む、請求項１又は２に記載の洗剤組成物。
【請求項４】
前記第１組成物が、液体洗剤である、前記のいずれかの請求項に記載の洗剤組成物。
【請求項５】
前記液体洗剤が、前記刺激剤を含む、前記のいずれかの請求項に記載の洗剤組成物。
【請求項６】
前記液体洗剤が、５０％未満の水を含む、前記のいずれかの請求項に記載の洗剤組成物。
【請求項７】
前記洗剤組成物が、単位用量形態であり、前記洗剤組成物が、前記液体洗剤を封入する水溶性フィルムを含む、前記のいずれかの請求項に記載の洗剤組成物。
【請求項８】
前記水溶性フィルムが、前記刺激剤を含む、前記のいずれかの請求項に記載の洗剤組成物。
【請求項９】
前記刺激剤が、前記水溶性フィルムの外面に存在し、好ましくは、前記刺激剤は前記外面にダスティング、コーティング、塗装、プリント、スプレー、噴霧、又はこれらの組合せにより適用される、前記のいずれかの請求項に記載の洗剤組成物。
【請求項１０】
前記刺激剤が、カプサイシノイド（カプサイシンを含む）；バニリルエチルエーテル；バニリルプロピルエーテル；バニリルブチルエーテル；バニリンプロピレン；グリコールアセタール；エチルバリニンプロピレングリコールアセタール；カプサイシン；ジンジェロール；４−（１−メントキシメチル）−２−（３’−メトキシ−４’−ヒドロキシ−フェニル）−１，３−ジオキソラン；コショウ油；コショウオレオレジン；ショウガオレオレジン；ノニル酸バニリルアミド；ジャンブーオレオレジン；サンショウ皮エキス；サンショオール；サンショアミド；ブラックペッパーエキス；カビシン；ピペリン；スピラントール；及びこれらの混合物から選択される、前記のいずれかの請求項に記載の洗剤組成物。
【請求項１１】
前記刺激剤が、カプサイシノイドであり、好ましくは前記カプサイシノイドはカプサイシンである、前記のいずれかの請求項に記載の洗剤組成物。
【請求項１２】
前記洗剤組成物が、前記洗剤組成物の重量に対して約０．０１重量％〜約１重量％の前記刺激剤を含む、前記のいずれかの請求項に記載の洗剤組成物。
【請求項１３】
前記洗剤組成物が、刺激風味を提供するのに十分な量の刺激剤を含む、前記のいずれかの請求項に記載の洗剤組成物。
【請求項１４】
液体組成物及び刺激剤を含む単位用量洗剤物品であって、前記液体組成物は２％〜約２０％の水を含み、前記液体組成物は更に前記刺激剤を含み、前記刺激剤はカプサイシノイドを含み、かつ、前記液体組成物は水溶性フィルム内に封入されている、単位用量洗剤物品。
【請求項１５】
第１組成物及び刺激剤を含む洗剤組成物の作製方法であって、前記方法は、前記第１組成物と前記刺激剤とを組み合わせる工程を含む、作製方法。
【請求項１６】
前記組合せ工程が、前記刺激剤を前記第１組成物に直接添加することを含む、請求項１７に記載の方法。
【請求項１７】
前記方法が更に、前記第１組成物を水溶性フィルム内に封入する工程を含む、請求項１７に記載の方法。
【請求項１８】
前記組合せ工程が、前記刺激剤を前記フィルムに添加する工程を含み、好ましくは、前記添加工程は、前記刺激剤の前記フィルム上へのダスティング、コーティング、塗装、プリント、スプレー、噴霧、又はこれらの組合せを含む、請求項１９に記載の方法。
【請求項１９】
単位用量洗剤組成物であって、
ａ．少なくとも１つの区画（好ましくは、前記少なくとも１つの区画は液体組成物を含み、好ましくは、前記液体組成物は可塑化溶媒を含む）；
ｂ．水溶性フィルム（好ましくは、前記水溶性フィルムは可塑剤を含む）；及び
ｃ．刺激剤
を含む単位用量洗剤組成物。
【請求項２０】
粒状又はタブレット洗剤組成物であって、
ａ．水溶性フィルム又は水溶性コーティング；及び
ｂ．刺激剤；
を含み、好ましくは、前記水溶性フィルム又は前記水溶性コーティングは前記刺激剤を含む、粒状又はタブレット洗剤組成物。
【請求項２１】
液体洗剤組成物であって、
ａ．約１重量％〜約７０重量％の界面活性剤系；及び
ｂ．刺激剤；
を含む、液体洗剤組成物。
【発明の詳細な説明】
【技術分野】
【０００１】
本発明は、部分的には、刺激剤を含む洗剤組成物に関する。本発明はまた、このような洗剤組成物の作製プロセスに関する。
【背景技術】
【０００２】
今日の洗剤は、粉末、顆粒、液体及びゲル等の多種多様の形態にて入手可能である。単位用量及び濃縮（又は小型の）洗剤形態は、それらが消費者に低重量、かつ単位用量の場合、簡略化した投与をもたらす利便性のために、ますます人気となってきている。これらの形態の、非常に濃縮された性質は、低減した輸送費及び環境への影響（例えば二酸化炭素排出量）といった、更なる持続可能性の利点をもたらす。
【０００３】
このような形態の誤飲の可能性を低下させるために苦味物質を使用することは、当該技術分野において既知である。例えば、誤飲を防止するために、単位用量物品をＢｉｔｒｅｘ（登録商標）（安息香酸デナトニウム）でコーティングすることが知られている。苦味剤をフィルム内に組み込むこと、又はフィルム上にスプレー、プリント、若しくは粉化することのいずれかにより、このような物品に苦味剤を添加することもまた、知られている。
【０００４】
苦味剤は、経口摂取を抑止するのに効果的な方法を提供することができるが、新規の代替手段は、刺激剤を使用することである。刺激剤は、幼児による経口摂取の、更により効果的な抑止剤としての可能性を提供する。理論に束縛されるものではないが、刺激剤に対する幼児の生理学的応答は、苦味剤に対する幼児の応答よりも一層著しい場合があると考えられている。したがって、刺激剤は経口摂取の更に強力な抑止剤を提供し得る。
【発明の概要】
【発明が解決しようとする課題】
【０００５】
したがって、種々の洗剤形態において刺激剤を送達する効果的な方法を提供する必要がある。
【課題を解決するための手段】
【０００６】
本開示は、第１組成物及び刺激剤を含む洗剤組成物に関し、この第１組成物は、液体洗剤、粒状洗剤、又はタブレット洗剤からなる群から選択され、第１組成物が粒状洗剤又はタブレット洗剤である場合、第１組成物は水溶性フィルム又は水溶性コーティングのいずれかの中に封入されている。
【０００７】
本開示はまた、液体組成物及び刺激剤を含む単位用量洗剤物品に関し、この液体組成物は、液体組成物の重量に対して２重量％〜約２０重量％の水を含み、液体組成物は刺激剤を更に含み、刺激剤はカプサイシノイドを含み、液体組成物は水溶性フィルム内に封入されている。
【０００８】
本開示はまた、第１組成物及び刺激剤を含む洗剤組成物の作製方法に関し、この方法は、第１剤と刺激剤とを組み合わせる工程を含む。
【０００９】
本開示は更に、少なくとも１つの区画；水溶性フィルム；及び刺激剤を含む単位用量洗剤組成物に関する。単位用量の少なくとも１つの区画は、液体組成物を含んでよい。液体組成物は可塑化溶媒を含んでよい。上記水溶性フィルムは可塑剤を含んでよい。
【００１０】
本開示は更に、水溶性フィルム又は水溶性コーティング；及び刺激剤を含む粒状又はタブレット洗剤組成物に関する。水溶性フィルム又は水溶性コーティングは、刺激剤を含んでよい。
【００１１】
本開示は更に、約１重量％〜約７０重量％の界面活性剤系；及び刺激剤を含む液体洗剤組成物に関する。
【発明を実施するための形態】
【００１２】
本開示は、刺激剤を含む洗剤組成物に関する。刺激剤は、経口摂取の抑止剤として機能することを目的としている。刺激剤は、Ｂｉｔｒｅｘ（登録商標）（安息香酸デナトニウム）等の苦味剤の代替物として、又はそれと組み合わせることで特に有用である。
【００１３】
本開示は、刺激剤を種々の洗剤形態に送達する効率的な方法を提供することに関する。刺激剤は、幾つかの方法で添加されてよい：
（ａ）刺激剤を直接液体洗剤に添加すること；
（ｂ）刺激剤を液相で単位用量組成物に直接添加し、好適な液体洗剤及び好適なフィルムを選択することで、前記刺激剤のフィルム表面への移動を誘発すること；
（ｃ）単位用量が洗剤で充填され、密封された後で、フィルムの外側に刺激剤を添加すること（添加は、溶媒及び前記刺激剤を含む溶液をスプレー又は噴霧する方法による）；
（ｄ）単位用量のフィルムの外側に刺激剤をダスティングすること（刺激剤は固体粒子として添加され、前記粒子は刺激剤及び不活性担体を含み、前記不活性担体は、タルク、無機塩（特に硫酸ナトリウム）、粘土、及び／若しくはゼオライトからなる群から選択されるのが好ましい）；
（ｅ）刺激剤を、タブレット、若しくは単位用量のフィルムのいずれかに適用したコーディングに添加する；並びに／又は
（ｆ）刺激剤をフィルム組成物内に、前記フィルムのキャスティング若しくは押出成形前に添加する。
【００１４】
これらの手法は、十分な刺激剤をフィルムに送達して、味を刺激性にするという技術的な問題を解決することができる。刺激剤を適用する場合、刺激風味を誘発するには十分であるが、前記刺激剤が、消費者が洗剤を加える際に消費者の手に著しく移動するほど多くはない量を送達するのが、更に望ましい。刺激剤の好ましい量は、約０．０１％〜約１％の範囲である。
【００１５】
定義
本発明の種々の実施形態の特徴及び利点は、本発明の幅広い表現を与えるよう意図される具体的な実施形態の例を含む以下の記述から明らかになる。種々の修正は、本発明の本記述及び実践から当業者には明らかである。この範囲は開示された特定の形に限定されるようには意図されず、かつ本発明は、クレームにより定義されるような本発明の精神及び範囲内に入る全ての改変、同等物、及び代替物を網羅する。
【００１６】
本願で使用するとき、「ｔｈｅ」、「ａ」及び「ａｎ」を包含する冠詞は、特許請求の範囲又は明細書で使用されるときには、請求又は記載されるものの１つ以上を意味するものと理解される。
【００１７】
本明細書で使用するとき、用語「包含する（include）」、「包含する（includes）」、及び「包含する（including）」は、限定することを意図しない。語句「含む（comprising）」又は「含む（comprises）」は、一層限定的な語句「から本質的になる」及び「からなる」を含むことを意図する。したがって、構成成分を含む組成物は、その構成成分から本質的になるか、又はその構成成分からなる。
【００１８】
本明細書で使用するとき、用語「〜を実質的に含まない（substantially free of）」又は「〜を実質的に含まない（substantially free from）」は、示された材料が最低限組成物の一部を形成するために意図的に組成物に添加されず、又は、好ましくは分析により検出可能な濃度で存在しないことを意味する。それは、示された材料が意図的に包含される他の材料の１つの中に不純物としてのみ存在する、組成物を包含することを意味する。
【００１９】
本明細書で使用するとき、用語「汚れた材料」は、非特定的に使用され、限定ではないが木綿、亜麻布、ウール、ポリエステル、ナイロン、絹、アクリル及びこれらに類するものなどの天然、人工及び合成繊維を包含する天然又は人工繊維の網状構造、並びに様々なブレンド及び組合せからなる任意のタイプの可撓性材料を指してもよい。汚れた材料は、限定ではないがタイル、花崗岩、しっくい、ガラス、複合物、ビニル、堅木、金属、調理用表面、プラスチック、及びこれらに類するものなどの天然、人工及び合成表面を含む任意のタイプの硬質表面、並びに様々なブレンド及び組合せを更に指してもよい。
【００２０】
本明細書において、別に明記されない限り、全ての濃度及び比率は、組成物の重量基準である。
【００２１】
洗剤組成物
本明細書で使用するとき、語句「洗剤組成物」は、汚れた材料を洗浄するために設計された組成物及び配合物を包含する。このような組成物としては、洗濯物洗浄組成物及び洗剤、布地柔軟化組成物、布地強化組成物、布地消臭組成物、洗濯物プレウォッシュ、洗濯物前処理剤、洗濯物添加物、スプレー製品、ドライクリーニング剤又は組成物、洗濯物すすぎ添加剤、洗浄添加剤、すすぎ後布地処理剤、アイロン助剤、食器洗い組成物、硬質表面洗浄組成物、単位用量配合物、遅延送達配合物、多孔質基材又は不織布シート上又は内に含有される洗剤、及び、本明細書内の教示の観点から、当業者には明らかであり得る他の好適な形態が挙げられるが、これらに限定されない。このような組成物は洗濯前処理剤、洗濯後処理剤として使用されてもよく、又は、洗濯操作のすすぎサイクル若しくは洗浄サイクル中に添加されてもよい。洗剤組成物は、液体、粉末、単相若しくは多相単位用量物品、パウチ、タブレット、ゲル、ペースト、バー、又はフレークから選択される形態を有してよい。
【００２２】
幾つかの態様では、洗剤組成物は第１組成物を含み、第１組成物は液体洗剤、粒状洗剤、又はタブレット洗剤からなる群から選択される。第１組成物が粒状洗剤又はタブレット洗剤である場合、第１組成物は水溶性フィルム又は水溶性コーティングのいずれかの中に入れられているのが好ましい。
【００２３】
液体洗剤組成物、及び液状成分を包含する洗剤組成物の他の形態（液体含有単位用量洗剤組成物等）は、水、及び充填剤又は担体等の他の溶媒を含有してよい。メタノール、エタノール、プロパノール、及びイソプロパノールにより例示される低分子量一級又は二級アルコールが好適である。幾つかの実施例では、可溶化界面活性剤として一価アルコールを使用してよく、２〜約６個の炭素原子、及び２〜約６個のヒドロキシ基を含有するアルコール等のポリオール（例えば１，３−プロパンジオール、エチレングリコール、グリセリン、及び１，２−プロパンジオール）もまた、使用してよい。アミン含有溶媒もまた使用してよい。単位用量物品に特に有用な溶媒について以下説明する。
【００２４】
洗剤組成物は、組成物の重量に対して約５重量％〜約９０重量％、及び幾つかの実施形態では、約１０重量％〜約５０重量％の、このような担体を含有してよい。小型若しくは超小型強力液体、又は他の形態の洗剤組成物については、水の使用は、組成物の重量に対して約４０重量％未満、又は約２０重量％未満、又は約５重量％未満、又は遊離水が約４％未満、又は遊離水が約３％未満、又は遊離水が約２％未満、又は実質的に遊離水を含まない（即ち無水）であってよい。
【００２５】
液体洗剤組成物は水を含んでよい。しかし、液体組成物が水溶性フィルムと、例えば単位用量物品内で接触する場合、フィルムの完全性を保ち、パウチへの粘着感を防止するために、水の量を制限するのが通常望ましい。したがって、幾つかの実施形態では、液体洗剤組成物は、液体組成物の重量に対して約５０重量％未満の水、若しくは液体組成物の重量に対して約４０重量％未満の水、又は、液体組成物の重量に対して約１重量％〜約３０重量％、若しくは好ましくは約２重量％〜約２０重量％、若しくは約５重量％〜約１３重量％の水を含む。
【００２６】
粉末若しくはバー洗剤組成物、又は、固体若しくは粉末成分を包含する形態（粉末含有単位用量洗剤組成物等）については、好適な充填剤としては、硫酸ナトリウム、塩化ナトリウム、粘土、又は他の不活性固体成分が挙げられるが、これらに限定されない。充填剤はまた、バイオマス又は脱色バイオマスを包含してよい。粒状、バー、又は他の固体洗剤組成物内の充填剤は、洗剤組成物の重量に対して約８０重量％未満、及び幾つかの実施例では、洗剤組成物の重量に対して約５０重量％未満で含まれてよい。小型又は超小型の粉末又は固体洗剤組成物は、洗剤組成物の重量に対して約４０重量％未満、又は約２０重量％未満、又は約１０重量％未満の充填剤を含んでよい。
【００２７】
小型又は超小型の液体若しくは粉末洗剤、又は他の形態について、製品中の液体又は固体充填剤の量は、同一量の活性化学物質のいずれかが、非小型化洗剤組成物と比較して洗浄溶液に送達されるように低減されてよく、又は幾つかの実施例において、非小型化組成物と比較してより少量の活性度化学物質が洗浄溶液に送達されるため、洗剤組成物は一層効果的である。例えば、洗浄溶液は、洗浄溶液内の洗剤組成物の濃度が約０ｇ／Ｌ超〜約４ｇ／Ｌとなる量で、洗剤組成物を水に接触させることにより形成されてよい。幾つかの実施例では、濃度は、約１ｇ／Ｌ〜約３．５ｇ／Ｌ、又は〜約３．０ｇ／Ｌ、又は〜約２．５ｇ／Ｌ、又は〜約２．０ｇ／Ｌ、又は〜約１．５ｇ／Ｌ、又は約０ｇ／Ｌ〜約１．０ｇ／Ｌ、又は約０ｇ／Ｌ〜約０．５ｇ／Ｌであってよい。これらの用量は限定を意図するものではなく、当業者に明らかであろう他の用量を使用してよい。
【００２８】
幾つかの態様では、洗剤組成物は単位用量物品の形態である。単位用量物品は少なくとも１つの区画を含み、区画は組成物、例えば第１組成物を含む。単位用量物品は、特定用途のための、物品内に含有される組成物の、単一で使用が容易な用量を提供することを意図している。幾つかの態様では、洗剤組成物は単位用量形態であり、液体洗剤を封入する水溶性フィルムを含む。
【００２９】
区画は、単位用量物品内にある、組成物を保持する、閉じている内部空間を意味するものとして理解されなければならない。単位用量物品は水溶性フィルムを含むことが好ましい。単位用量物品は、水溶性フィルムが組成物を完全に取り囲むことにより、組成物が存在する区画を画定するように製造される。単位用量物品は２つのフィルムを含んでよい。第１フィルムは、組成物が添加される開口区画を含む形状であってよい。次に、第２フィルムを上記第１フィルム上に、上記区画の開口部を閉じる方向に配置する。上記第１及び第２フィルムを次に、密封領域に沿って共に密封する。密封領域は縁を含んでよい。縁は、単位用量物品の端に突出した余剰の密封フィルム材料を含み、上記第１及び第２フィルムの密封のための表面積を増大させる。フィルムについて、以下により詳細に記載する。幾つかの態様では、単位用量物品は３枚のフィルムを含む。
【００３０】
単位用量物品は２つ以上の区画、少なくとも２つの区画、又は少なくとも３つの区画を含んでよい。幾つかの態様では、単位用量物品は１つ、又は２つ、又は３つ、又は４つ、又は５つの区画を含む。区画は重ねて配置される方向、即ち、これらの区画が共通の壁を共有し、一方が他方の上部に位置するように配置されてよい。一態様において、少なくとも１つの区画が別の区画の上に重ねて配置される。あるいは、区画は並列の方向に、即ち一方が他方の隣に配向されるように位置してよい。区画は「タイヤ及びリム」配置で配向されてもよい。即ち、第１区画が第２区画の隣に配置されるが、第１区画は第２区画を少なくとも部分的に取り囲み、第２区画を完全に包囲はしない。あるいは、一方の区画が他方の区画内に完全に包囲されてもよい。
【００３１】
単位用量物品が少なくとも２つの区画を含む場合、区画の１つは、その他の区画よりも小さくてよい。単位用量物品が少なくとも３つの区画を含む場合、区画の２つが第３区画より小さくてよく、より小さい区画がより大きい区画の上に重ねて配置されるのが好ましい。重ねて配置されたより小さい区画は、並列して配向されるのが好ましい。
【００３２】
単位用量物品が少なくとも２つの区画を含む場合、各区画は同一の組成物を含んでもよいし、又は各区画は異なる組成物を独立して含んでもよい。区画は知覚的に異なってよい。例えば、区画は異なる形状を有してよいか、又は異なる色であってよい。
【００３３】
封入された組成物は、任意の好適な組成物であってよい。組成物は固体、液体、分散体、ゲル、ペースト、又はこれらの混合物の形態であってよい。複数区画の単位用量物品の各区画内の組成物は、異なってよい。しかし、通常、単位用量物品の少なくとも１つの区画、好ましくは各区画は、液体を含む。組成物は以下により詳細に記載されている。
【００３４】
水溶性又は水分散性フィルム
幾つかの態様では、本開示の洗剤組成物は水溶性又は水分散性フィルムを含む。フィルムは洗剤組成物、好ましくは第１組成物を封入してよい。フィルムは液体組成物、粒状洗剤、タブレット洗剤、又はこれらの混合物を封入してよい。
【００３５】
本発明のフィルムは、水に可溶性又は分散性である。水溶性フィルムは、約２０〜約１５０マイクロメートル、好ましくは約３５〜約１２５マイクロメートル、更により好ましくは約５０〜約１１０マイクロメートル、最も好ましくは約７６マイクロメートルの厚みを有するのが好ましい。
【００３６】
フィルムは、２０マイクロメートルの最大孔径を有するガラスフィルタを使用する、後述する方法により測定した際に、少なくとも５０％、好ましくは７５％、あるいは少なくとも９５％の水に対する溶解度を有するのが好ましい。この方法は、
予め秤量した４００ｍＬビーカーに、５０グラム±０．１グラムのフィルム材料を入れ、２４５ｍＬ±１ｍＬの蒸留水を添加する。これを、電磁攪拌器（ｌａｂｌｉｎｅモデル番号１２５０又は等価物）及び５ｃｍの電磁攪拌器により、２４℃にて３０分間、６００ｒｐｍで激しく攪拌した。その後、混合物を、上記で定義した孔径（最大２０マイクロメートル）の折り畳んだ定性分析用焼結ガラス濾紙で濾過する。回収した濾液から任意の従来の方法によって水を乾燥させ、残った材料の重量を測定する（これが溶解又は分散画分である）。その後、溶解度（％）又は分散度（％）を計算することができる。
【００３７】
好ましいフィルム材料は、好ましくはポリマー材料である。フィルム材料は、当該技術分野において既知であるように、例えば、ポリマー材料のキャスティング、吹込成形、押出成形、又は吹込押出成形により得ることができる。フィルムは押出プロセス又はキャスティングプロセスにより得るのが好ましい。
【００３８】
フィルム材料としての使用に好適な好ましいポリマー（コポリマー、ターポリマー、又はこれらの誘導体を含む）は、ポリビニルアルコール（ＰＶＡ）、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及び塩類、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー、及びヒドロキシプロピルメチルセルロース（ＨＰＭＣ）、並びにこれらの組合せから選択される。フィルム材料のポリマーはカルボキシレート基を含まないことが好ましい。
【００３９】
フィルム材料のポリマー、例えばＰＶＡポリマーの量は、少なくとも６０％であるのが好ましい。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。
【００４０】
ポリマーの混合物もまた、フィルム材料として使用できる。これは、区画又はパウチの機械的特性及び／又は溶解特性を、これらの適用及び必要とされるニーズに応じて、制御するのに有用であり得る。好適な混合物には、例えば１つのポリマーが他のポリマーよりもより高い水溶性を有する、及び／又は１つのポリマーが他のポリマーよりもより高い機械的強度を有する、混合物が含まれる。異なる重量平均分子量を有するポリマーの混合物、例えば、約１０，０００〜約４０，０００、好ましくは約２０，０００の重量平均分子量のＰＶＡ又はそのコポリマーと、約１００，０００〜約３００，０００、好ましくは約１５０，０００の重量平均分子量のＰＶＡ又はそのコポリマーとの混合物もまた好適である。ポリマーブレンド組成物、例えば、加水分解で分解可能で水溶性のポリマーブレンド（ポリラクチド及びポリビニルアルコールを混合することにより得られ、典型的に約１〜３５重量％のポリラクチド、及び約６５〜９９重量％のポリビニルアルコールを含む、ポリラクチドとポリビニルアルコールのポリマーブレンドなど）を含むポリマーブレンド組成物も、本明細書において好適である。本明細書での使用に好ましいポリマーは、ポリビニルアルコールが好ましく、材料の溶解特性を向上するために、約６０％〜約９９％加水分解された、好ましくは約８０％〜約９９％加水分解された、更により好ましくは約８０％〜約９０％加水分解されたポリマーである。
【００４１】
好ましいフィルムは、冷水（非加熱の蒸留水を意味する）中で良好な溶解を示す。好ましくは、このようなフィルムは２４℃の温度、更により好ましくは１０℃の温度にて良好な溶解を示す。良好な溶解とは、２０マイクロメートルの最大孔径を有するガラスフィルタを使用する、上記の方法により測定した際に、フィルムが少なくとも５０％、好ましくは少なくとも７５％、あるいは少なくとも９５％の溶解度を示すことを意味する。溶解度は２４℃、又は好ましくは１０℃にて測定してよい。
【００４２】
好ましいフィルムは、米国特許第６１６６１１７号及び米国特許第６７８７５１２号に記載されている、Ｍｏｎｏｓｏｌ（Ｍｅｒｒｉｌｌｖｉｌｌｅ，Ｉｎｄｉａｎａ，ＵＳＡ）により供給されている商品名Ｍ８６３０、Ｍ８９００、Ｍ８７７９、及びＭ８３１０のフィルム、並びに対応する溶解度及び変形性特性のＰＶＡフィルムである。その他の好適なフィルムとしては、Ａｉｃｅｌｌｏ  Ｃｈｅｍｉｃａｌ  Ｅｕｒｏｐｅ  ＧｍｂＨ製のＳｏｌｕｂｌｏｎ（登録商標）ＰＴ、Ｓｏｌｕｂｌｏｎ（登録商標）ＧＡ、Ｓｏｌｕｂｌｏｎ（登録商標）ＫＣ若しくはＳｏｌｕｂｌｏｎ（登録商標）ＫＬと呼ばれるもの、Ｋｕｒａｒａｙ製のＶＦ−ＨＰフィルム、又はＮｉｐｐｏｎ  Ｇｏｈｓｅｉによるフィルム（Ｈｉ  Ｓｅｌｏｎ等）を含んでよい。更に好ましいフィルムは、米国特許出願第２００６／０２１３８０１号、米国特許出願第２０１１／０１８８７８４号、国際公開第２０１０／１１９０２２号、及び米国特許第６  ７８７  ５１２号に記載されているフィルムである。幾つかの態様では、フィルムは、液体からフィルムへの刺激剤の移動が、他は同一の条件下にてＭ８６３０フィルムへの刺激剤の移動よりも大きな速度で発生するように選択される。幾つかの態様では、２４℃の温度、更により好ましくは１０℃の温度で、Ｍ８６３０フィルム（Ｍｏｎｏｓｏｌより供給）よりも良好な溶解を示すフィルムを使用することが好ましい。刺激剤の、フィルム表面への移動及び／又はフィルム表面での存在は、以下の方法に従い測定してよい。
【００４３】
好ましい水溶性フィルムは、ポリマーのブレンド、好ましくはブレンド内の少なくとも１つのポリマーがポリビニルアルコールである、ポリマーのブレンドを含む樹脂に由来するフィルムである。水溶性フィルム樹脂は、ＰＶＡポリマーのブレンドを含むことが好ましい。例えば、ＰＶＡ樹脂は少なくとも２つのＰＶＡ樹脂を含むことができ、本明細書で使用するとき、第１のＰＶＡポリマーは第２のＰＶＡポリマーよりも小さい粘度を有する。第１のＰＶＡポリマーは、少なくとも８センチポアズ（ｃＰ）、１０ｃＰ、１２ｃＰ、又は１３ｃＰ、かつ最大４０ｃＰ、２０ｃＰ、１５ｃＰ、又は１３ｃＰ、例えば約８ｃＰ〜約４０ｃＰ、若しくは１０ｃＰ〜約２０ｃＰ、若しくは約１０ｃＰ〜約１５ｃＰ、若しくは約１２ｃＰ〜約１４ｃＰの範囲内、又は１３ｃＰの粘度を有することができる。更に、第２のＰＶＡポリマーは少なくとも約１０ｃＰ、２０ｃＰ、又は２２ｃＰ、かつ最大約４０ｃＰ、３０ｃＰ、２５ｃＰ、又は２４ｃＰ、例えば約１０ｃＰ〜約４０ｃＰ、若しくは２０〜約３０ｃＰ、若しくは約２０〜約２５ｃＰ、若しくは約２２〜約２４の範囲内、又は約２３ｃＰの粘度を有することができる。ＰＶＡポリマーの粘度は、Ｂｒｉｔｉｓｈ  Ｓｔａｎｄａｒｄ  ＥＮ  ＩＳＯ  １５０２３−２：２００６  Ａｎｎｅｘ  Ｅ  Ｂｒｏｏｋｆｉｅｌｄ  Ｔｅｓｔ  ｍｅｔｈｏｄに記載されている、ＵＬアダプタを備えたＢｒｏｏｋｆｉｅｌｄ  ＬＶ型粘度計を使用して、新たに作製した溶液を測定することにより決定する。国際的慣行では、２０℃における４％ポリビニルアルコール水溶液の粘度を記載する。本明細書においてｃＰで記載する全ての粘度は、特に言及しない限り、２０℃における４％ポリビニルアルコール水溶液の粘度を指すものとして理解されなければならない。同様に、樹脂が特定の粘度を有する（又は有しない）と記載されるとき、特に言及しない限り、指定された粘度は、対応する分子量分布を固有に有する、樹脂の平均粘度であることを意味する。
【００４４】
個々のＰＶＡポリマーは、ＰＶＡ樹脂の加水分解度が本明細書で記載される範囲内であれば、任意の好適な加水分解度を有することができる。所望により、ＰＶＡ樹脂は、更に又はあるいは、約５０，０００〜約３００，０００ダルトン、又は約６０，０００〜約１５０，０００ダルトンの範囲内のＭｗを有する第１のＰＶＡポリマー；及び約６０，０００〜約３００，０００ダルトン、又は約８０，０００〜約２５０，０００ダルトンの範囲内のＭｗを有する第２のＰＶＡポリマーを含むことができる。
【００４５】
本発明の区画の作製において、異なるフィルム材料及び／又は異なる厚さのフィルムを使用してよい。異なるフィルムを選択する利点は、その結果得られる区画が異なる溶解度、すなわち放出特性を示し得るというものである。
【００４６】
また、本明細書のフィルム材料には、１つ以上の添加剤成分を含有させてもよい。例えば、フィルムは可塑剤を含むことが好ましい。可塑剤は水、グリセロール、エチレングリコール、ジエチレングリコール、プロピレングリコール、ソルビトール、又はこれらの混合物を含んでよい。幾つかの態様では、フィルムは、水、グリセロール、ジエチレングリコール、ソルビトール、及びこれらの混合物を含む群から選択される可塑剤を、フィルムの重量に対して約２重量％〜約３５重量％、又は約５重量％〜約２５重量％含む。幾つかの態様では、フィルム材料は少なくとも２つ、又は好ましくは少なくとも３つの可塑剤を含む。幾つかの態様では、フィルムはエタノールを実質的に含まず、これは、フィルムが、フィルムの重量に対して０重量％（０重量％を含む）〜約０．１重量％のエタノールを含むことを意味する。幾つかの態様では、以下に記載するように、可塑剤は液体組成物中の可塑化溶媒と同じである。
【００４７】
その他の添加剤としては、水、及び水を洗浄するために送達される、界面活性剤を含む機能的洗剤添加剤、例えば有機ポリマー分散剤等を含んでよい。
【００４８】
刺激剤
洗剤組成物は刺激剤を含む。
【００４９】
幾つかの態様では、刺激剤は、カプサイシノイド（カプサイシンを含む）；バニリルエチルエーテル；バニリルプロピルエーテル；バニリルブチルエーテル；バニリンプロピレン；グリコールアセタール；エチルバリニンプロピレングリコールアセタール；カプサイシン；ジンジェロール；４−（１−メントキシメチル）−２−（３’−メトキシ−４’−ヒドロキシ−フェニル）−１，３−ジオキソラン；コショウ油；コショウオレオレジン；ショウガオレオレジン；ノニル酸バニリルアミド；ジャンブーオレオレジン；サンショウ皮エキス；サンショオール；サンショアミド；ブラックペッパーエキス；カビシン；ピペリン；スピラントール；及びこれらの混合物から選択される。他の好適な刺激剤としては、ポリゴディアール；タスマニアランセオラタエキス、トウガラシエキス、又はこれらの混合物が挙げられる。
【００５０】
好ましい刺激剤としてはカプサイシノイドが挙げられ、これは、カプサイシン、ジヒドロカプサイシン、ノルジヒドロカプサイシン、ホモジヒドロカプサイシン、ホモカプサイシン、及びノニバミドを包含する。特に好ましい刺激剤はカプサイシンである。
【００５１】
好適な刺激剤には、ＯＰＴＡＨＥＡＴ（Ｓｙｍｉｓｅ  Ｆｌａｖｏｒｓ）、ＨＯＴＡＣＴ（Ｌｉｐｏ  Ｃｈｅｍｉｃａｌｓ）、及びＨＥＡＴＥＮＯＬ（Ｓｅｎｓｉｅｎｔ  Ｆｌａｖｏｒｓ）等の市販されている作用物質を挙げてよい。
【００５２】
洗剤組成物は、洗剤組成物の重量に対して約０．０００１重量％〜約１０重量％、又は約０．００１重量％〜約２重量％、又は約０．０１重量％〜約１重量％、又は約０．１重量％〜約０．５重量％の刺激剤を含んでよい。幾つかの態様では、洗剤組成物は、刺激風味を提供するのに十分な量の刺激剤を含む。幾つかの態様では、刺激剤の量及び／又は種類は、使用者に制御した−例えば、経口摂取を抑止するには十分だが、使用者が物理的に体調を崩したり、又は使用者の手若しくは汚れた材料に誤って著しい量を移動させるほど多くはない−刺激の量を送達するように選択される。
【００５３】
第１組成物、好ましくは液体組成物は刺激剤を含んでよい。液体組成物が水溶性フィルムにより封入されている場合、液体組成物は、刺激剤のフィルム内への、又はフィルムを通しての移動を誘発するように選択される可塑化溶媒を含んでよい。このフィルムもまた、このような移動を誘発するように選択されてよい。幾つかの態様では、刺激剤は最初、単位用量物品の製造時にはフィルム内には存在しないが、保存後にはフィルム内、及びフィルム表面に移動する。
【００５４】
洗剤組成物が水溶性フィルムを含む場合、水溶性フィルムは刺激剤を含んでもよく、これは、刺激剤がフィルムの構成部分をなし得る、及び／又はフィルムの外面と接触し得ることを意味する。刺激剤は、フィルムの形成前、例えばフィルムの押出成形又はキャスティングの前に、フィルム形成高分子材料に添加されてよい。刺激剤は水溶性フィルムの外面に存在してもよく、ここで、内面は第１組成物と接触している。刺激剤は任意の好適な方法によりフィルムの外面に適用されてよい。例えば、刺激剤はダスティング、粉化、コーティング、塗装、プリント、スプレー、噴霧、又はこれらの組合せにより、フィルムの外面に適用されてよい。幾つかの態様では、刺激剤は、刺激剤、及び以下で説明する可塑化溶媒を含む組成物をスプレー又は噴霧することにより単位用量組成物に適用される。刺激剤をフィル上にスプレー又は噴霧する場合、スプレー又は噴霧された組成物は無水性であってよく、これは、組成物が、スプレー又は噴霧された組成物の重量に対して２０重量％未満、又は１５重量％未満、又は１０重量％未満、又は５重量％未満、又は１重量％未満の水を含むことを意味する。スプレー又は噴霧された組成物は水を全く含んでいなくてもよい。
【００５５】
洗剤組成物はコーティングを含んでよく、コーティングは刺激剤を含む。
【００５６】
幾つかの態様では、フィルムの表面上の刺激剤の濃度は、約１０ｐｐｂ〜約１０，０００ｐｐｍ、又は好ましくは約５０ｐｐｂ〜約２００ｐｐｍ、又はより好ましくは約１０ｐｐｍ〜約２５０ｐｐｍである。幾つかの態様では、刺激剤の濃度は、単位用量物品を２５℃かつ６０％の相対湿度にて１ヶ月間保管した後に測定される。
【００５７】
刺激剤の刺激性は、既知のスコヴィル値に従って測定されてよく、スコヴィル辛味単位（ＳＨＵ）で報告されてよい。幾つかの態様では、刺激剤は、少なくとも約１，０００，０００ＳＨＵ、又は少なくとも約５，０００，０００ＳＨＵ、又は少なくとも約１０，０００，０００ＳＨＵ、又は少なくとも約１５，０００，０００ＳＨＵの刺激度を有する刺激剤から選択されてよい。比較すると、カプサイシンの刺激度は約１６，０００，０００ＳＨＵである。刺激性はまた、高速液体クロマトグラフィーにより測定され、米国香辛料貿易協会（ＡＳＴＡ）の刺激単位で決定されてよい。１００万分の１部のカプサイシンの測定値は約１５スコヴィル単位に対応し、ＡＳＴＡの刺激単位は１５を掛け、スコヴィル単位として報告することができる。
【００５８】
有効な抑止剤となるために、刺激剤は検出可能であることが望ましいために、通常、刺激剤は他の作用物質、例えばメントールといった冷却剤等により覆われないことが望ましい。幾つかの態様では、洗剤組成物は冷却剤を含まない、好ましくはメントールを含まない。
【００５９】
同様の理由により、刺激剤は消費者にとって速やかに利用可能であることが好ましい。したがって、刺激剤は洗剤組成物の他の成分と、例えばカプセル又はマイクロカプセルによって別々に封入されないか、又は分離されないことが好ましい。刺激剤を含む第１組成物を水溶性フィルム内に封入することは、本文脈においては、刺激剤の分離とは考えられず、また、刺激剤を水溶性フィルムの外面に適用することも刺激剤の分離とは考えられないと理解されている。幾つかの態様では、刺激剤はマイクロカプセル内には存在しない。マイクロカプセル内に存在する場合、刺激剤はフィルム表面には移動しないであろう。
【００６０】
洗剤添加剤
上述した刺激剤に加えて、洗剤組成物は他の好適な添加剤を含んでよい。
【００６１】
苦味剤
洗剤組成物を封入する水溶性フィルムを含んでよい洗剤組成物は、苦味剤を包含してよい。苦味剤としては、デナトニウム塩又はその誘導体、例えば安息香酸デナトニウム（ＢＩＴＲＥＸ（登録商標）として市販されている）を挙げてよい。人口の特定の階層は、いずれかの味を不快と知覚しない場合があるため、刺激剤と苦味剤との組合せが有利となり得る。
【００６２】
可塑化溶媒
洗剤組成物が、水溶性フィルムにより封入された液体組成物を含む場合、液体組成物は可塑化溶媒を含むのが好ましい。上記液体組成物は、液体組成物の重量に対して約１０重量％〜約５０重量％、又は約１５重量％〜約４０重量％の可塑化溶媒を含んでよい。
【００６３】
液体組成物が刺激剤と可塑化溶媒の両方を含む場合、可塑化溶媒は、刺激剤が液体組成物から水溶性フィルムに移動することを誘発するように選択されるのが好ましい。液体組成物は刺激剤と可塑化溶媒から本質的になってよいか、又は、液体組成物は、以下でより詳細に記載されている他の添加剤を含んでよい。
【００６４】
本組成物中の可塑化溶媒は、水、有機溶媒、又はこれらの混合物を含有する可塑化溶媒とすることができる。好適な有機溶媒としては、低分子量アルコール、及び／又は低分子量グリコールが挙げられ、本文脈において「低分子量」とは、約５００未満の分子量を有することを意味する。好適な有機溶媒としては、好ましくはグリセロール、１，２−プロパンジオール、１，３−プロパンジオール、ジプロピレングリコール、ジエチレングリコール、ソルビトール、及びこれらの混合物が挙げられる。幾つかの態様では、可塑化溶媒は水、グリセロール、１，２−プロパンジオール、１，３−プロパンジオール、ジプロピレングリコール、ジエチレングリコール、ソルビトール、又はこれらの混合物を含む。
【００６５】
幾つかの態様では、可塑化溶媒は、少なくとも１つの一次溶媒、好ましくは、２９より大きい、より好ましくは３０より大きい、かつ好ましくは４０未満のハンセン溶解度（δ）を有する有機溶媒を含む。参考までに、水に対するハンセン溶解度は約４２である。
【００６６】
理論に束縛されるものではないが、比較的高いハンセン溶解度の値を有する溶媒は水溶性フィルムを通して、比較的低いハンセン溶解度の値を有する溶媒よりも、より高速かつ多量に移動して平準化する傾向があると考えられている。次いで、このような溶媒は液体からフィルム内へ、かつフィルムを通しての、成分の移動を誘発する。単位用量製造者は通常、フィルムを通しての移動を最小限にしようと努めるため、比較的高い、例えば２９より大きいハンセン溶解度を有する溶媒を選択することは、反直観的なことである。
【００６７】
ハンセン溶解度パラメータは周知であり、三成分の指標のシステムをベースとするパラメータから計算される。ハンセン溶解度パラメータは、分散力成分（δｄ）、水素結合成分（δｈ）、及び極性成分（δｐ）を基準にしている。ハンセン溶解度パラメータ（δ）は、全ての分子結合を切断するのに必要なエネルギーである総結合エネルギーが、以下の式：
δ２＝δｄ２＋δｐ２＋δｈ２：に従った分散力（ｄ）、分子双極子力（ｐ）、及び水素結合力（ｈ）の組合せであるという事実から誘導される。
【００６８】
ハンセン溶解度（δ）は、δ２の平方根を見出すことにより計算される。
【００６９】
分散力は、非極性分子間の弱い引力である。これらの力の絶対値は分子の分極率に依存し、分散力成分（δｄ）は、他の全ての特性がほぼ等しいならば、典型的には分子の体積（及びサイズ）が増加するにつれて増加する。ハンセン溶解度パラメータは、Ｈａｎｓｅｎにより実験的に得られた溶媒についてのＡｌｌａｎ  Ｆ  Ｍ  Ｂａｒｔｏｎ（ＣＲＣ  Ｐｒｅｓｓ  １９８３）による「Ｈａｎｄｂｏｏｋ  ｏｆ  ｓｏｌｕｂｉｌｉｔｙ  Ｐａｒａｍｅｔｅｒｓ  ａｎｄ  ｏｔｈｅｒ  ｐａｒａｍｅｔｅｒｓ」に開示された値をベースにした、未公開のプロプライエタリなアルゴリズムを用いる、ＣｈｅｍＳＷの分子モデリングＰｒｏ  ｖ６．１．９ソフトウェアパッケージを用いて、２５℃で計算される。
【００７０】
上記一次溶媒は、−１．０未満、及びより好ましくは−１．５未満のｃＬｏｇ  Ｐを有するのが好ましい。上記一次溶媒は、２０．５より大きい、より好ましくは２３より大きい、かつ好ましくは４０未満の水素結合成分（δｈ）を有するのが好ましい。参考までに、水に対するハンセン溶解度は約４２である。使用する単位はＭＰａ０．５である。
【００７１】
上記一次溶媒は、プロパンジオール、グリセロール、ソルビトール、及びこれらの混合物からなる群から選択されるのが好ましい。
【００７２】
表１は、好ましい一次溶媒、及び好ましい一次溶媒の範囲をはずれている比較としての一部の溶媒の、ハンセン溶解度を示す。
【００７３】
【表１】
2017508844.tif 000002
【００７４】
好ましい実施形態では、可塑化溶媒は、好ましくは有機溶媒である二次溶媒もまた含む。二次溶媒は、２８．５以下のハンセン溶解度を有するのが好ましい。更に好ましい実施形態では、二次溶媒に対する一次溶媒の比は、７：１〜１：５、より好ましくは６．５：１〜１．３、最も好ましくは３：１〜１：１である。
【００７５】
特に好ましい実施形態において、可塑化溶媒は少なくとも、一次溶媒、二次溶媒、及び水を含む。
【００７６】
幾つかの態様では、可塑化溶媒は少なくとも２つ、好ましくは少なくとも３つの有機溶媒を含む。幾つかの態様では、液体組成物はエタノールを実質的に含まず、これは、液体組成物が、液体組成物の重量に対して０重量％（０重量％を含む）〜約０．１重量％のエタノールを含むことを意味する。
【００７７】
液体組成物は水を含んでよい。しかし、液体組成物が水溶性フィルムと接触するため、フィルムの完全性を維持し、かつパウチへの粘着感を防止するために、水の量を制限することが通常好ましい。したがって、幾つかの実施形態において、液体組成物は、液体組成物の重量に対して約４０重量％未満の水、又は液体組成物の重量に対して、約１重量％〜約３０重量％、若しくは約２重量％〜約２０重量％、若しくは約５重量％〜約１３重量％の水を含む。
【００７８】
幾つかの態様では、可塑化溶媒の少なくとも２つの有機溶媒は、フィルム材料の少なくとも２つの可塑剤と同一である。幾つかの態様では、可塑化溶媒は前記刺激剤を、前記液体組成物から前記水溶性フィルムに移動させるのを誘発ように選択される。移動を誘発するために、液体組成物中の可塑化溶媒の濃度、及びフィルム内の可塑剤の濃度は通常異なっており、製造時に異なっているのが好ましい。
【００７９】
他の添加剤
本明細書に記載される洗剤組成物は、他の添加剤を含んでもよい。添加剤は、洗剤組成物の意図する機能に従って選択されてよい。第１組成物は添加剤を含んでよい。幾つかの態様では、複数区画の単位用量物品の場合、添加剤は、第１組成物とは別の区画に封入される、非第１（例えば第２、第３、第４等）組成物の一部であってよい。非第１組成物は、任意の好適な組成物であってよい。非第１組成物は、固体、液体、分散体、ゲル、ペースト、又はこれらの混合物の形態であってよい。同様に、添加剤は刺激剤と同一の区画に封入されてもよいし、又は、添加剤、若しくは少なくとも幾つかの添加剤は、刺激剤とは分離されてよい。単位用量が複数の区画を含む場合、苦味剤は１つ、２つ、あるいは全ての区画に添加されてよいか、又は存在してよい。
【００８０】
洗剤組成物の非限定例としては、洗浄組成物、布地ケア組成物及び硬質表面洗浄剤が挙げられる。より詳細には、組成物は、前処理又は浸漬組成物、及び他のすすぎ用添加組成物を含む洗濯、布地ケア又は食器洗い組成物であってよい。上記組成物は布地洗剤組成物又は自動食器洗い組成物であってよい。布地洗剤組成物は、主となる洗浄プロセス中に使用してもよいし、又は前処理若しくは浸漬組成物として使用することも可能である。
【００８１】
布地ケア組成物としては、布地洗剤、布地柔軟剤、２ｉｎ１洗剤、及び柔軟・前処理組成物等が挙げられる。布地ケア組成物は、界面活性剤、ビルダー、キレート剤、移染防止剤、分散剤、酵素及び酵素安定剤、触媒材料、漂白活性化剤、分散剤ポリマー、粘土汚れ除去／再付着防止剤、増白剤、抑泡剤、染料、追加の香料及び香料送達系、構造弾性化剤、布地柔軟剤、担体、ヒドロトロープ、加工助剤及び／又は顔料、並びにこれらの混合物を含む典型的な布地ケア添加剤を含んでよい。上記組成物は、シェーディング染料、界面活性剤、ポリマー、香料、カプセル化香料材料、構造化剤及びこれらの混合物を含む群から選択される添加剤を含む、洗濯洗剤組成物であってよい。
【００８２】
組成物は、界面活性剤、研磨剤、スルホン化／カルボキシル化ポリマー、シリコーン抑泡剤、ケイ酸塩、金属及び／又はガラスケア剤、酵素、漂白剤、漂白活性化剤、漂白触媒、アルカリ性源、香料、染料、溶媒、充填剤、並びにこれらの混合物から選択される添加剤を含む自動食器洗い組成物であってよい。
【００８３】
上記液体組成物は界面活性剤を含むのが好ましい。界面活性剤は、アニオン性、カチオン性、双性イオン性、非イオン性、両性又はこれらの混合物から選択することができる。単位用量組成物はアニオン性界面活性剤、非イオン性界面活性剤、又はこれらの混合物を含むことが好ましい。洗剤組成物、好ましくは液体組成物は、界面活性剤系の重量に対して約１重量％〜約７０重量％、又は約３重量％〜約５０重量％、又は約５重量％〜約２５重量％を占めてよい。
【００８４】
アニオン性界面活性剤は直鎖アルキルベンゼンスルホネート、アルキルエトキシレートサルフェート、及びこれらの組合せから選択されてよい。
【００８５】
本明細書で有用である好適なアニオン性界面活性剤は、液体洗剤製品で典型的に使用される従来のアニオン性界面活性剤のいかなる種類をも含むことができる。これらには、アルキルベンゼンスルホン酸及びこれらの塩、並びにアルコキシル化又は非アルコキシル化アルキルサルフェート物質が挙げられる。
【００８６】
本明細書に用いるのに好適な非イオン性界面活性剤としては、アルコールアルコキシレート非イオン性界面活性剤が挙げられる。アルコールアルコキシレートは、一般式：Ｒ１（ＣｍＨ２ｍＯ）ｎＯＨ（式中、Ｒ１はＣ８〜Ｃ１６アルキル基であり、ｍは２〜４であり、ｎは約２〜１２の範囲である）に相当する材料である。一態様では、Ｒ１は、一級又は二級であってよく、約９〜１５個の炭素原子、又は約１０〜１４個の炭素原子を含むアルキル基である。一態様では、アルコキシル化脂肪族アルコールはまた、分子当り約２〜１２個のエチレンオキシド部分、又は分子当り約３〜１０個のエチレンオキシド部分を含有するエトキシル化物質である。
【００８７】
この洗濯ケア組成物で用いられるシェーディング染料は、ポリマー若しくは非ポリマー染料、顔料、又はこれらの混合物を含むことができる。シェーディング染料は、発色団成分及びポリマー成分を含むポリマー染料を含むのが好ましい。発色団成分は、光に曝露すると、青、赤、バイオレット、紫、又はこれらの組合せの範囲の波長の光を吸収するものであると特徴付けられる。一態様では、発色団成分は、水及び／又はメタノール中で約５２０ナノメートル〜約６４０ナノメートルにおいて吸収スペクトルの最大を示し、他の態様では、水及び／又はメタノール中で約５６０ナノメートル〜約６１０ナノメートルの吸収スペクトルにおいて、最大を示す。
【００８８】
任意の好適な発色団を使用してよいが、染料発色団は、ベンゾジフラン、メチン、トリフェニルメタン、ナフタルイミド、ピラゾール、ナフトキノン、アントラキノン、アゾ、オキサジン、アジン、キサンテン、トリフェノジオキサジン、及びフタロシアニン染料発色団から選択されることが好ましい。モノ及びジアゾ染料発色団が好ましい。
【００８９】
シェーディング染料は、少なくとも３個の連続繰返し単位の１つ以上に共有結合した発色団を含む染料ポリマーを含んでよい。繰返し単位そのものは発色団を含む必要がないと理解されるべきである。染料ポリマーは少なくとも５個、少なくとも１０個、あるいは少なくとも２０個の連続繰返し単位を含んでよい。
【００９０】
繰返し単位は、オキシアルキレンオキシ及びポリオキシアルキレンオキシと組み合わされた、フェニルジカルボキシレート等の有機エステルに由来することができる。繰返し単位は、アルケン、エポキシド、アジリジン、ヒドロキシアルキルセルロース；ヒドロキシプロピルセルロース；ヒドロキシプロピルメチルセルロース；ヒドロキシブチルセルロース；及びヒドロキシブチルメチルセルロース等の修飾セルロースを含む単位を包含する炭水化物、又はこれらの混合物に由来することができる。繰返し単位はアルケン若しくはエポキシド、又はこれらの混合物に由来してよい。繰返し単位は、アルコキシ基と呼ばれることもある、Ｃ２〜Ｃ４アルキレンオキシ基であってよく、Ｃ２〜Ｃ４アルキレンオキシドに由来するものが好ましい。繰返し単位はＣ２〜Ｃ４アルコキシ基、好ましくはエトキシ基であってよい。
【００９１】
本開示の目的のために、少なくとも３個の連続繰返し単位はポリマー性成分を形成する。ポリマー性成分は発色団基に直接、又は連結基を介して間接的に共有結合してよい。好適なポリマー性成分の例は、複数の繰返し単位を有するポリオキシアルキレン鎖を含む。一態様では、ポリマー性成分は、２〜約３０個の繰返し単位、２〜約２０個の繰返し単位、２〜約１０個の繰返し単位、あるいは約３又は４〜約６個の繰返し単位を有するポリオキシアルキレン鎖を含む。ポリオキシアルキレン鎖の非限定例には、エチレンオキシド、プロピレンオキシド、グリシドールオキシド、ブチレンオキシド、及びこれらの混合物が挙げられる。
【００９２】
染料は、有機合成経路による直接の結果である非精製混合物の形態で洗剤組成物中に導入されてよい。したがって、染料ポリマーに加えて、少量の未反応の出発物質、副反応生成物、及び、任意の重合行程に起因すると予想される、繰返し単位の異なる鎖長を含む染料ポリマーの混合物もまた存在してよい。
【００９３】
上記組成物は、クリーニング性能及び／又は布地ケア効果を提供する１つ以上の洗剤酵素を含むことができる。好適な酵素の例としては、限定するものではないが、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、βグルカナーゼ、アラビノシダーゼ、ヒアルロニダーゼ、コンドロイチナーゼ、ラッカーゼ、及びアミラーゼ、又はこれらの混合物が挙げられる。典型的な組合せは、プロテアーゼ、リパーゼ、クチナーゼ及び／又はセルラーゼのような従来の適用可能な酵素をアミラーゼと組み合わせた混液である。
【００９４】
本発明の組成物は１つ以上の漂白剤を含んでよい。漂白触媒以外の適切な漂白剤としては、光触媒、漂白活性化剤、過酸化水素、過酸化水素源、予形成過酸、及びこれらの混合物が挙げられる。一般に、漂白剤を使用する場合、本発明の組成物は、洗浄組成物の重量に対して、約０．１重量％〜約５０重量％、あるいは約０．１重量％〜約２５重量％の漂白剤を含んでよい。
【００９５】
上記組成物は増白剤を含んでよい。好適な増白剤は、増白剤１５等のスチルベンである。他の好適な増白剤は、疎水性増白剤、及び増白剤４９である。増白剤は、３〜３０マイクロメートル、又は３マイクロメートル〜２０マイクロメートル、又は３〜１０マイクロメートルの範囲内の重量平均粒径を有する微粉化粒子形態であってよい。増白剤は、α−又はβ−結晶形態であってよい。
【００９６】
本明細書における組成物はまた、１種以上の銅、鉄、及び／又はマンガンのキレート剤を任意に含有してよい。使用される場合、キレート剤は、一般に本明細書の組成物の重量で、約０．１重量％〜約１５重量％、又は更には本明細書の組成物の重量で、約３．０重量％〜約１５重量％含まれるであろう。好適なキレート剤としては、ＤＴＰＡ（ジエチレントリアミン五酢酸）、ＨＥＤＰ（ヒドロキシエタンジホスホン酸）、ＤＴＰＭＰ（ジエチレントリアミンペンタ（メチレンホスホン酸））、エチレンジアミン二コハク酸（ＥＤＤＳ）、１，２−ジヒドロキシベンゼン−３，５−ジスルホン酸二ナトリウム塩水和物、及びこのようなキレート剤の誘導体からなる群から選択されるキレート剤が挙げられる。
【００９７】
上記組成物は、１−ヒドロキシエタンジホスホン酸（ＨＥＤＰ）及びその塩；Ｎ，Ｎ−ジカルボキシメチル−２−アミノペンタン−１，５−二酸及びその塩；２−ホスホノブタン−１，２，４−トリカルボン酸及びその塩；並びにこれらの組合せからなる群から選択されるもの等の、炭酸カルシウム結晶成長抑制剤を含んでよい。
【００９８】
本開示の組成物は、１つ以上の移染防止剤もまた含んでよい。好適なポリマー性移染防止剤としては、ポリビニルピロリドンポリマー、ポリアミンＮ−オキシドポリマー、Ｎ−ビニルピロリドンとＮ−ビニルイミダゾールとのコポリマー、ポリビニルオキサゾリドン及びポリビニルイミダゾール又はこれらの混合物が挙げられるが、これらに限定されない。本明細書における組成物中に存在する場合、移染防止剤は、洗浄組成物の約０．０００１重量％から、約０．０１重量％から、約０．０５重量％から、洗浄組成物の約１０重量％まで、約２重量％まで、又は更には約１重量％までの濃度で存在する。
【００９９】
上記組成物は１つ以上のポリマーを含んでよい。好適なポリマーとしては、カルボキシレートポリマー、ポリエチレングリコールポリマー、テレフタレートポリマーなどのポリエステル汚れ放出ポリマー、アミンポリマー、セルロース系ポリマー、移染防止ポリマー、イミダゾールとエピクロロヒドリン（任意に１：４：１の比率で、ヘキサメチレンジアミン誘導体ポリマー）の縮合によって生成される縮合オリゴマーなどの染料固定ポリマー、及びこれらの任意の組合せが挙げられる。
【０１００】
他の好適なセルロース系ポリマーは、０．０１〜０．９９の置換度（ＤＳ）と、ＤＳ＋ＤＢが少なくとも１．００であるか、又はＤＢ＋２ＤＳ−ＤＳ２が少なくとも１．２０であるかのいずれかとなるようなブロック度（ＤＢ）とを有し得る。置換セルロース系ポリマーは、少なくとも０．５５の置換度（ＤＳ）を有し得る。置換セルロース系ポリマーは、少なくとも０．３５のブロック度（ＤＢ）を有し得る。置換セルロース系ポリマーは、１．０５〜２．００のＤＳ＋ＤＢを有し得る。好適な置換セルロース系ポリマーは、カルボキシメチルセルロースである。
【０１０１】
別の好適な置換セルロース系ポリマーは、カチオン変性ヒドロキシエチルセルロースである。
【０１０２】
好適な香料としては、香料マイクロカプセル、シッフ塩基香料／ポリマー複合体を含むポリマー支援香料送達システム、デンプンにカプセル化された香料アコード、香料充填ゼオライト、ブルーミング香料のアコード、及びこれらの任意の組合せが挙げられる。好適な香料マイクロカプセルは、メラミンホルムアルデヒド系であり、典型的には、メラミンホルムアルデヒドを含むシェルによってカプセル化される香料を含む。このような香料マイクロカプセルは、ポリビニルホルムアミド（ＰＶＦ）及び／又はカチオン変性ヒドロキシエチルセルロース（ｃａｔＨＥＣ）等のカチオン性材料及び／又はカチオン性前駆体材料をシェル内に含むことが非常に好適であり得る。
【０１０３】
好適な抑泡剤としては、シリコーン、及び／又はステアリン酸等の脂肪酸が挙げられる。
【０１０４】
洗浄プロセス
本開示はまた、本開示に係る洗剤組成物を、洗浄する洗濯物又は食器に入れて接触させる工程、及び洗浄又は洗濯を実施する工程、を含む、本開示に係る組成物を使用する、例えば機械による洗濯物又は食器の洗浄プロセスに関する。
【０１０５】
任意の好適な洗浄機を使用してよい。当業者は、関係する洗浄操作に好適な機械を認識するであろう。本発明の物品は、布地用添加剤、布地柔軟剤、すすぎ補助剤等の他の組成物と組み合わせて使用してよい。
【０１０６】
更に、本開示の洗剤組成物は既知の手洗い方法で使用してもよい。
【０１０７】
作製プロセス
本開示は、洗剤組成物の作製方法に関する。より具体的には、本開示は、第１組成物及び刺激剤を含む洗剤組成物の作製方法に関し、この方法は、第１剤と刺激剤とを組み合わせる工程を含む。組合せ工程は、前記刺激剤を第１組成物に直接添加することを含んでよい。組合せ工程は、当業者に既知の洗剤組成物の任意の好適な作製工程、例えばバッチプロセス又は連続ループプロセスに従ってよい。
【０１０８】
第１組成物が粒状洗剤又はタブレット洗剤である場合、この方法は、水溶性フィルム又は水溶性コーティングのいずれかの中に第１組成物を入れる工程を含む。あるいはこの方法は、水溶性フィルム又は水溶性コーティングのいずれかの中に既に入れられた第１組成物を提供する工程を含んでよい。
【０１０９】
幾つかの態様では、この方法は、前記第１組成物を水溶性フィルム中に封入させる工程を含む。組合せ工程は、刺激剤をフィルムに添加する工程を含んでよい。添加工程は、前記刺激剤の前記フィルム上へのダスティング、コーティング、塗装、プリント、スプレー、噴霧、又はこれらの組合せを含んでよい。
【０１１０】
幾つかの態様では、本開示は、単位用量物品の作製方法に関し、この方法は、刺激剤及び可塑化溶媒を含む液体組成物を提供する工程、並びに水溶性フィルムを液体組成物と接触させる工程を含み、このフィルムは可塑剤を含む。刺激剤を液相内の単位用量組成物に直接添加し、適切な液体洗剤及び適切なフィルムを選択することにより、刺激剤の、フィルム表面への移動を誘発することができる。
【０１１１】
幾つかの態様では、本開示は、刺激剤を含むフィルムの作製に関し、この方法は、刺激剤及び可塑化溶媒を含む液体組成物を提供する工程、並びに水溶性フィルムを液体組成物と接触させる工程を含み、このフィルムは可塑剤を含む。フィルムはパウチ内に形成されて密封されてよく、これにより密封パウチを形成する。幾つかの態様では、密封パウチは界面活性剤を封入する。幾つかの態様では、接触工程は、パウチに液体組成物を充填することによる。幾つかの態様では、接触工程は、前記液体組成物が前記フィルム上にスプレー又は噴霧されることによる。フィルムは、スプレー又は噴霧後にパウチ内に形成されてよい。
【０１１２】
フィルムは、フィルムの製造時に刺激剤を含まないことが好ましい。幾つかの態様では、フィルムは単位用量物品の製造時に刺激剤を含まない。
【０１１３】
幾つかの態様では、組合せ工程は、刺激剤を、単位用量のフィルムの外側にダスティングすることを含み、刺激剤は固体粒子として添加され、粒子は刺激剤及び不活性担体を含み、好ましくは、不活性担体は、タルク、無機塩（特に硫酸ナトリウム）、粘土、及び／又はゼオライトを含む群から選択される。
【０１１４】
幾つかの態様では、刺激剤は、フィルムのキャスティング又は押出成形の前に、フィルムに添加されてよい。
【０１１５】
本明細書で開示される方法に有用な、フィルム、刺激剤、及び洗剤添加剤を含む洗剤組成物成分については、上述した通りである。幾つかの態様では、刺激剤は、カプサイシノイド（カプサイシンを含む）；バニリルエチルエーテル；バニリルプロピルエーテル；バニリルブチルエーテル；バニリンプロピレン；グリコールアセタール；エチルバリニンプロピレングリコールアセタール；カプサイシン；ジンジェロール；４−（１−メントキシメチル）−２−（３’−メトキシ−４’−ヒドロキシ−フェニル）−１，３−ジオキソラン；コショウ油；コショウオレオレジン；ショウガオレオレジン；ノニル酸バニリルアミド；ジャンブーオレオレジン；サンショウ皮エキス；サンショオール；サンショアミド；ブラックペッパーエキス；カビシン；ピペリン；スピラントール；及びこれらの混合物から選択される。好ましい刺激剤としてはカプサイシノイドが挙げられ、これは、カプサイシン、ジヒドロカプサイシン、ノルジヒドロカプサイシン、ホモジヒドロカプサイシン、ホモカプサイシン、及びノニバミドを包含する。特に好ましい刺激剤はカプサイシンである。
【０１１６】
単位用量物品の作製方法は、以下に詳細に記載されている。
【０１１７】
本開示のプロセスは連続的であってよいか、又は断続的であってよい。このプロセスは、開いているパウチを形成すること（好ましくは、水溶性フィルムをモールド内に形成して前記開いているパウチを形成すること）、開いているパウチを組成物で充填すること、組成物で充填した、開いているパウチを（好ましくは、第２の水溶性フィルムを使用して）閉じる、一般的な工程を含み、単位用量物品を形成する。上記第２フィルムもまた区画を含んでもよく、この区画は組成物を含んでもよく、又は含まなくてもよい。あるいは、上記第２フィルムは開いているパウチを閉じるために使用される、１つ以上の区画を含有する、閉じているパウチであってよい。このプロセスは、単位用量物品のウェブが作製され、前記ウェブを次いで切断し、個々の単位用量物品を形成するプロセスであることが好ましい。
【０１１８】
あるいは、第１フィルムを、２つ以上の区画を含む、開いているパウチ内に形成してよい。この場合、第１パウチで形成された区画は並列、又は「タイヤ及びリム」の方向に形成されてよい。上記第２フィルムもまた区画を含んでもよく、この区画は組成物を含んでもよく、又は含まなくてもよい。あるいは、第２フィルムは、複数区画の開いているパウチを閉じるために使用される、閉じているパウチであってよい。
【０１１９】
単位用量物品は熱成形、真空形成、又はこれらの組合せにより作製されてよい。単位用量物品は、当該技術分野において既知の任意の密封方法を使用して密封されてよい。好適な密封方法としては、ヒートシール、溶剤シール、圧力シール、超音波シール、圧力シール、レーザーシール、又はこれらの組合せを挙げてもよい。水溶性容器を製造する連続的インラインプロセスの例が、米国特許第７，１２５，８２８号、米国特許出願第２００９／０１９９８７７（Ａ１）号、欧州特許第２３８０９６５号、同第２３８０９６６号、米国特許第７，１２７，８７４号及び米国特許出願第２００７／０２４１０２２号（全て、米国オハイオ州のＰｒｏｃｔｅｒ  ＆  Ｇａｍｂｌｅ  Ｃｏｍｐａｎｙに譲渡）に記述されている。水溶性容器を製造する非連続的インラインプロセスの例は、米国特許第７，７９７，９１２号（Ｒｅｃｋｉｔｔ  Ｂｅｎｃｋｉｓｅｒ，Ｂｅｒｋｓｈｉｒｅ，ＧＢに譲渡）に記述されている。
【０１２０】
単位用量物品はダスティング剤を散布されてもよい。ダスティング剤としては、タルク、シリカ、ゼオライト、カーボネート、又はこれらの混合物を挙げることができる。
【０１２１】
本開示の単位用量物品の代表的な作製方法は、
ａ．第１水溶性フィルムを、複数のモールドを含む、連続的かつ回転して移動する、エンドレスな表面の水平部分に供給すること、又はエンドレスな表面の非水平部分に連続的に供給し、フィルムを前記水平部分まで連続的に移動させること；
ｂ．連続的に移動している表面の水平部分、及び表面上のモールドのフィルムから、連続的に移動している、水平に配置された、開いているパウチのウェブを形成すること；
ｃ．連続的に移動している、水平に配置された、開いているパウチのウェブを生成物で充填し、水平に配置された、開いている充填パウチのウェブを得ること；
ｄ．好ましくは連続的に、開いているパウチのウェブを閉じて、閉じているパウチを得、好ましくは、水平に配置された、開口充填パウチに第２の水溶性フィルムを供給することで、閉じているパウチを得ること；並びに
ｅ．任意に、閉じているパウチを密封して、閉じているパウチのウェブを得ること、
の工程を含む、物品を作製するための連続プロセスである。
【０１２２】
第２の水溶性フィルムは、少なくとも１つの開いている、又は閉じている区画を含んでよい。
【０１２３】
一実施形態では、開いているパウチの第１のウェブを閉じているパウチの第２のウェブと組み合わせ、ここで、好適な方法により第１及び第２ウェブを接合し、互いに密封することが好ましく、第２ウェブは回転ドラムにより組み立てられることが好ましい。このような組み立てにおいて、パウチはドラムの頂部で充填され、好ましくはその後、フィルム層により密封され、閉じているパウチが下がって、パウチ、好ましくは開いているパウチの第１ウェブと会合し、好ましくは水平形成面上に形成される。回転ドラムユニットを水平形成面ユニットの上に配置するのが特に好適であることが見出されている。
【０１２４】
得られた、閉じているパウチのウェブを切断して、個々の単位用量物品を製造することが好ましい。
【０１２５】
試験方法
刺激剤の移動及び／又は存在は、以下の方法により測定してよい。フィルムを含む単位用量物品を提供してよく、この単位用量物品は最初、フィルムの外面に刺激剤を有しなかった。滲出（即ち、フィルムを通して移動する液体）量は、以下の方法に従い定量化することができる。刺激剤の存在はまた、以下の方法に従い測定することができる。刺激剤はフィルムを通って液体と共に移動するため、より多くの滲出は、より多くの刺激剤の移動を示すことになる。上述の通り、可塑化溶媒及び／又はフィルムを注意深く選択することで、刺激剤の移動の増加をもたらすことができる。
【０１２６】
滲出の測定方法
液体化合物がフィルムを通って水溶性パッケージの外側に移動することは、Ｃｏｕｒａｇｅ−Ｋｈａｚａｋａ  Ｅｌｅｃｔｒｏｎｉｃ（Ｋｏｌｎ，Ｇｅｒｍａｎｙ）製の、ＣＭ−８２５プローブを備えたコルネオメータＣＭ８２５を使用して定量化できる。この装置は、供給元の勧告に従いキャリブレーションした。この装置は、記録されるコルネオメータ値を提供する。誘電定数の変化（即ち、パウチの外側での液体の存在）がコルネオメータ値を変えるため、コルネオメータは、僅かな滲出量の変化ですら検出可能である。
【０１２７】
この装置を、２０℃±３℃、及び５０％±１０の相対湿度の、調節された実験室に設置する。パウチは、測定前に２０±３℃の温度にする。プローブは、乾燥してきれいなティッシュペーパーでクリーニングする。次いで、プローブにコンタミネーションがないことを確認するため、きれいなティッシュペーパー（ＶＷＲ  Ｉｎｔｅｒｎａｔｉｏｎａｌ  ｂｖｂａ，Ｌｅｕｖｅｎ，Ｂｅｌｇｉｕｍ、カタログ番号１１５−０６００）でセンサをゆっくりと拭くことにより、装置がゼロのコルネオメータ値を読み取るまでブランク測定を行う。使用説明書に従い、プローブをパウチに垂直に配置する。各パウチについて、１０個の反復試験を測定する。パウチの頂部及び底面の中心及び角部を試験する。測定は５つの異なるパウチで繰り返す。したがって、データは５０回の測定の平均である。プローブは各測定の間でクリーニングする。
【０１２８】
以下の表に、滲出におけるコルネオメータ値の解釈を定める。
【０１２９】
【表２】
2017508844.tif 000003
【０１３０】
刺激剤の存在／移動の測定方法
フィルム表面に存在する刺激剤の存在及び／又は量を測定するために、センサ又は分析技術を用いてよい。好適なセンサ技術（例えば制御された状況で味覚を介する）は、Ｈｅｎｋｅｌ  ＡＧ  ＆  Ｃｏ．に譲渡された国際公開第２０１４／０２６８５５（Ａ１）号に開示されており、当業者により刺激剤に適合させることができる。
【０１３１】
刺激剤は、以下の方法により表面から抽出されてよい。単位用量パウチは、密封部をピンセットで保持する。パウチの各側面の表面を、１０回すすぎ、４〜５ｍＬのメタノールを各すすぎサイクルで使用して回収する。すすぎの後、メタノール溶液をガラス瓶に移し、メタノールを蒸発させる。次に、残った抽出物を、分析方法に必要な好適な溶媒に溶解させる。
【０１３２】
刺激剤は、当業者に知られている標準的な方法により分析することができる。分析技術としては、当業者に知られているクロマトグラフィー又は分光技術を挙げてよい。例えば、高速液体クロマトグラフィー（ＨＰＬＣ）を使用する好適な技術は、Ｍｕｓｆｉｒｏｈ  ｅｔ  ａｌ．，Ｉｎｔ  Ｊ  Ｐｈａｒｍ  Ｐｈａｒｍ  Ｓｃｉ，Ｖｏｌ  ５，Ｉｓｓｕｅ  １，２４８〜２５１（２０１３）に記載されている。
【実施例】
【０１３３】
以下の非限定的実施例において、別段の定めがある場合を除き、全ての量は組成物の重量％である。
【０１３４】
実施例１カプサイシンを含むフィルム
サンプルの調製：Ｓｉｇｍａ  Ａｌｄｒｉｃｈから入手した天然のカプサイシン（カプサイシン６５％とジヒドロカプサイシン３５％）を、１％エタノール溶液として希釈した。１％のカプサイシン溶液２ｍＬを、約１０ｃｍの作業距離、及び約１７２ｋＰａ（２５ｐｓｉ（約１．７バールに相当））の作業圧力にて、エアブラシ（ＩＷＡＴＡ（登録商標）ＮＥＯ）を使用して、ＭｏｎｏＳｏｌから供給されている水溶性ポリビニルアルコールフィルムの表面にスプレーした（スプレーした表面＝１１ｃｍ×３０ｃｍ）。このフィルムは、単位用量洗剤パウチの作製に好適である。
【０１３５】
被験者群：２５人の成人被験者に、コーティングしたフィルムの２ｃｍ×５ｃｍ片を与えた。被験者には、フィルムを舐め、不快味を感知したらすぐに合図を送るように求めた。タイマーは、消費者がフィルムを舐めた時に開始し、消費者が合図を送った時に停止した。この時間は、応答時間として記録した。次いで、被験体に（不快）味の強さを、１〜５の規模（１は口当たりがよく、５は我慢できない）で表現するように求めた。試験の強さを３、４、又は５として評価した被験体は「テイスター」としてカウントした。結果を表１にまとめている。
【０１３６】
【表３】
2017508844.tif 000004
＊  比較すると、他の調査は、嫌悪剤で処理していない（例えば、カプサイシンなし）水溶性フィルムをテイスティングした被験体は実質的に、嫌悪味反応を示さない（例えば、２０秒以内に不快な反応がない）ことを示している。
【０１３７】
実施例２一区画パウチ
一区画パウチを、表２に示す組成物２．１の液体洗剤で充填する。パウチはＭｏｎｏｓｏｌから入手可能なＭ８７７９フィルムを使用して作製し、標準的な熱成形技術を使用して形成する。具体的には、７６μｍ厚のフィルムＭ８７７９  ０．７ｇを熱成形し、４１ｍｍ×４３ｍｍのサイズの単一区画のパウチにする。パウチは組成物２．１  ２３．７ｍＬ（２５．４ｇ）で充填する。
【０１３８】
【表４】
2017508844.tif 000005
【０１３９】
実施例３複数区画パウチ
複数区画パウチの例には、表３に表す配合を含むことができる。パウチは、米国特許出願公開第２０１１／０１８８７８４（Ａ１）号に開示されている配合に従い、水溶性フィルムにより作製する。刺激剤は、刺激剤と溶媒との溶液でパウチをスプレーすることにより、実施例３．１の外面に適用する。スプレーしたパウチは、約０．２％の刺激剤を含む。実施例３．１、３．２、及び／又は３．３のパウチ材料又は内容物は、ＢＩＴＲＥＸ（登録商標）（安息香酸デナトニウム）等の苦味剤を更に含んでよい。
【０１４０】
【表５】
2017508844.tif 000006
＊  刺激剤は、刺激剤と溶媒との溶液でパウチをスプレーすることにより、実施例２．１の外面に適用する。スプレーしたパウチは、パウチの重量に対して約０．２重量％の刺激剤を含む。
１  米国特許第７１６９７４４号に記載のもののような硫酸モノ−［２−（３，４−ジヒドロ−イソキノリン−２−イル）−１−（２−エチル−ヘキシルオキシメチル）−エチル］エステル
２  ＰＡＰ＝フタロイル−アミノ−ペルオキシカプロン酸、７０％活性湿潤ケーキとして
３  ＮＨ  １個当たり２０個のエトキシレート基を有するポリエチレンイミン（ＭＷ＝６００）。
４  エトキシル化チオフェン、ＥＯ（Ｒ１＋Ｒ２）＝５
５  ＲＡ＝アルカリ保存性（ＮａＯＨのｇ／用量）
６  ＰＥＩ６００  ＥＯ２０、ＢＡＳＦから入手可能
【０１４１】
実施例４液体洗剤組成物
液体洗剤組成物の実施例は、表４に示す配合を包含することができる。実施例４．１は典型的な強力液体洗剤であり、実施例４．２は典型的な小型液体洗剤である。
【０１４２】
【表６】
2017508844.tif 000007
１．−ＮＨあたり２０個のエトキシレート基を有するポリエチレンイミン（ＭＷ＝６００）。
２．Ｓｔｅｐａｎ，Ｎｏｒｔｈｆｉｅｌｄ，Ｉｌｌｉｎｏｉｓ，ＵＳＡにより供給される、平均脂肪族炭素鎖長Ｃ１１〜Ｃ１２を有する直鎖アルキルベンゼンスルホネート
３．ＡＥ９は、Ｈｕｎｔｓｍａｎ，Ｓａｌｔ  Ｌａｋｅ  Ｃｉｔｙ，Ｕｔａｈ，ＵＳＡにより供給される、平均エトキシル化度が９の、Ｃ１２〜Ｃ１３アルコールエトキシレートである。
４．好適なキレート剤は例えば、Ｄｏｗ  Ｃｈｅｍｉｃａｌ，Ｍｉｄｌａｎｄ，Ｍｉｃｈｉｇａｎ，ＵＳＡにより供給されるジエチレンテトラアミンペンタ酢酸（ＤＴＰＡ）、又はＳｏｌｕｔｉａ，Ｓｔ  Ｌｏｕｉｓ，Ｍｉｓｓｏｕｒｉ，ＵＳＡ  Ｂａｇｓｖａｅｒｄ，Ｄｅｎｍａｒｋにより供給されるヒドロキシエタンジホスホネート（ＨＥＤＰ）である。
５．Ｎａｔａｌａｓｅ（登録商標）、Ｍａｎｎａｗａｙ（登録商標）は全て、Ｎｏｖｏｚｙｍｅｓ，Ｂａｇｓｖａｅｒｄ，Ｄｅｎｍａｒｋの製品である。
６．プロテアーゼは、Ｇｅｎｅｎｃｏｒ  Ｉｎｔｅｒｎａｔｉｏｎａｌ，Ｐａｌｏ  Ａｌｔｏ，Ｃａｌｉｆｏｒｎｉａ，ＵＳＡ（例えば、Ｐｕｒａｆｅｃｔ  Ｐｒｉｍｅ（登録商標））により、又はＮｏｖｏｚｙｍｅｓ，Ｂａｇｓｖａｅｒｄ，Ｄｅｎｍａｒｋ（例えば、Ｌｉｑｕａｎａｓｅ（登録商標），Ｃｏｒｏｎａｓｅ（登録商標））により供給されてよい。
１０．好適な蛍光増白剤としては例えば、Ｔｉｎｏｐａｌ（登録商標）ＡＭＳ、Ｔｉｎｏｐａｌ（登録商標）ＣＢＳ−Ｘ、スルホン酸化亜鉛フタロシアニン（Ｃｉｂａ  Ｓｐｅｃｉａｌｔｙ  Ｃｈｅｍｉｃａｌｓ，Ｂａｓｅｌ，Ｓｗｉｔｚｅｒｌａｎｄ）がある。
【０１４３】
本明細書で開示する寸法及び値は、列挙された正確な数値に厳密に限られるとして理解されるべきではない。むしろ、特に断らない限り、そのような各寸法は、記載された値及びその値の周辺の機能的に同等の範囲の両方を意味するものとする。例えば、「４０ｍｍ」として開示される寸法は、「約４０ｍｍ」を意味することを意図する。
【０１４４】
相互参照される又は関連する任意の特許又は特許出願、及び本願が優先権又はその利益を主張する任意の特許出願又は特許などの、本願に引用される全ての文書は、除外又は限定することを明言しない限りにおいて、参照によりその全容が本願に援用される。いずれの文献の引用も、こうした文献が本願で開示又は特許請求される任意の発明に対する先行技術であることを容認するものではなく、また、こうした文献が、単独で、あるいは他の任意の参照文献との任意の組合せにおいて、こうした発明のいずれかを教示、示唆又は開示していることを容認するものでもない。更に、本文書における用語の任意の意味又は定義が、参照することによって組み込まれた文書内の同じ用語の意味又は定義と競合する程度に、本文書におけるその用語に与えられた意味又は定義が適用されるものとする。
【０１４５】
以上、本発明の特定の諸実施形態を図示、説明したが、本発明の趣旨及び範囲から逸脱することなく他の様々な変更及び改変を行いうる点は当業者には自明であろう。したがって、本発明の範囲内に含まれるそのような全ての変更及び修正は、添付の特許請求の範囲にて網羅することを意図したものである。
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
第１組成物及び刺激剤を含む洗剤組成物であって、
前記第１組成物は液体洗剤、粒状洗剤、又はタブレット洗剤からなる群から選択され、かつ
前記第１組成物が粒状洗剤又はタブレット洗剤である場合、前記第１組成物は水溶性フィルム又は水溶性コーティングのいずれかの中に入れられる、洗剤組成物。
【請求項２】
前記第１組成物が、前記刺激剤を含む、請求項１に記載の洗剤組成物。
【請求項３】
前記第１組成物が、粒状洗剤又はタブレット洗剤であり、前記水溶性フィルム又は前記水溶性コーティングが、前記刺激剤を含む、請求項１又は２に記載の洗剤組成物。
【請求項４】
前記第１組成物が、液体洗剤である、前記のいずれかの請求項に記載の洗剤組成物。
【請求項５】
前記液体洗剤が、前記刺激剤を含む、前記のいずれかの請求項に記載の洗剤組成物。
【請求項６】
前記液体洗剤が、５０％未満の水を含む、前記のいずれかの請求項に記載の洗剤組成物。
【請求項７】
前記洗剤組成物が、単位用量形態であり、前記洗剤組成物が、前記液体洗剤を封入する水溶性フィルムを含む、前記のいずれかの請求項に記載の洗剤組成物。
【請求項８】
前記水溶性フィルムが、前記刺激剤を含む、前記のいずれかの請求項に記載の洗剤組成物。
【請求項９】
前記刺激剤が、前記水溶性フィルムの外面に存在し、好ましくは、前記刺激剤は前記外面にダスティング、コーティング、塗装、プリント、スプレー、噴霧、又はこれらの組合せにより適用される、前記のいずれかの請求項に記載の洗剤組成物。
【請求項１０】
前記刺激剤が、カプサイシノイド（カプサイシンを含む）；バニリルエチルエーテル；バニリルプロピルエーテル；バニリルブチルエーテル；バニリンプロピレン；グリコールアセタール；エチルバリニンプロピレングリコールアセタール；カプサイシン；ジンジェロール；４−（１−メントキシメチル）−２−（３’−メトキシ−４’−ヒドロキシ−フェニル）−１，３−ジオキソラン；コショウ油；コショウオレオレジン；ショウガオレオレジン；ノニル酸バニリルアミド；ジャンブーオレオレジン；サンショウ皮エキス；サンショオール；サンショアミド；ブラックペッパーエキス；カビシン；ピペリン；スピラントール；及びこれらの混合物から選択される、前記のいずれかの請求項に記載の洗剤組成物。
【請求項１１】
前記刺激剤が、カプサイシノイドであり、好ましくは前記カプサイシノイドはカプサイシンである、前記のいずれかの請求項に記載の洗剤組成物。
【請求項１２】
前記洗剤組成物が、前記洗剤組成物の重量に対して約０．０１重量％〜約１重量％の前記刺激剤を含む、前記のいずれかの請求項に記載の洗剤組成物。
【請求項１３】
前記洗剤組成物が、刺激風味を提供するのに十分な量の刺激剤を含む、前記のいずれかの請求項に記載の洗剤組成物。
【請求項１４】
液体組成物及び刺激剤を含む単位用量洗剤物品であって、前記液体組成物は２％〜約２０％の水を含み、前記液体組成物は更に前記刺激剤を含み、前記刺激剤はカプサイシノイドを含み、かつ、前記液体組成物は水溶性フィルム内に封入されている、単位用量洗剤物品。
【請求項１５】
第１組成物及び刺激剤を含む洗剤組成物の作製方法であって、前記方法は、前記第１組成物と前記刺激剤とを組み合わせる工程を含む、作製方法。
【国際調査報告】
2017508844.tif 000008
2017508844.tif 000009
2017508844.tif 000010